(57)【要約】【課題】変調パラメータの変更頻度が高い場合においても、伝送帯域の低下を引き起こすことなく、変調パラメータの通信を可能とする。【解決手段】一つ以上のシンボルからなる伝送フレーム毎に変調パラメータを選択してＯＦＤＭ伝送を行う送信装置と受信装置を備える通信システムにおいて、送信装置は、送信すべき変調パラメータを決定し、変調パラメータを周波数０のサブキャリアに配置したＯＦＤＭシンボルを生成し、生成したＯＦＤＭシンボルを含む伝送フレームを送信する。受信装置は、伝送フレームを受信すると、伝送フレームに含まれるＯＦＤＭシンボル内の有効シンボル期間における平均値を算出し、平均値に基づいて前記周波数０のサブキャリアに配置された変調パラメータを抽出し、抽出された変調パラメータを用いてＯＦＤＭ復調処理を行う。【選択図】  図１
2010041243.tif 000002
【特許請求の範囲】
【請求項１】
一つ以上のシンボルからなる伝送フレーム毎に変調パラメータを選択してＯＦＤＭ伝送を行う送信装置と受信装置を備える通信システムであって、
前記送信装置は、
送信すべき変調パラメータを決定する決定手段と、
前記変調パラメータを周波数０のサブキャリアに配置したＯＦＤＭシンボルを生成する生成手段と、
前記生成手段で生成したＯＦＤＭシンボルを含む伝送フレームを送信する送信手段とを備え、
前記受信装置は、
前記伝送フレームを受信する受信手段と、
前記伝送フレームに含まれるＯＦＤＭシンボル内の有効シンボル期間における平均値を算出し、前記平均値に基づいて前記周波数０のサブキャリアに配置された変調パラメータを抽出する抽出手段と、
前記抽出手段により抽出された変調パラメータを用いてＯＦＤＭ復調処理を行う復調処理手段とを備えることを特徴とする通信システム。
【請求項２】
前記生成手段は、有効シンボルとガードインターバルにより前記ＯＦＤＭシンボルを生成し、前記有効シンボルの後端の前記ガードインターバルの長さに対応した部分のコピーを前記ガードインターバルの期間のデータとすることを特徴とする請求項１に記載の通信システム。
【請求項３】
前記抽出手段は、
前記有効シンボルの長さを単位とした移動平均値を算出する移動平均処理手段と、
ＯＦＤＭシンボルの開始時点から有効シンボル期間の経過後、当該ＯＦＤＭシンボルの終了時点の間までのタイミングで、前記移動平均値を符号判定して前記変調パラメータを得る符号判定手段とを備えることを特徴とする請求項２に記載の通信システム。
【請求項４】
前記符号判定手段は、
前記ＯＦＤＭシンボルの開始時点から有効シンボル期間の経過後の、ガードインターバルの期間に対応した長さの期間において前記移動平均値を加算平均した値を符号判定することを特徴とする請求項３に記載の通信システム。
【請求項５】
信号を変調して、ＯＦＤＭ伝送を行う送信装置であって、
送信すべき変調パラメータを決定する決定手段と、
前記変調パラメータを周波数０のサブキャリアに配置したＯＦＤＭシンボルを生成する生成手段と、
前記生成手段で生成したＯＦＤＭシンボルを含む伝送フレームを送信する送信手段とを備えることを特徴とする送信装置。
【請求項６】
ＯＦＤＭによる伝送フレームを受信して信号を復調する受信装置であって、
伝送フレームを受信する受信手段と、
前記伝送フレームに含まれるＯＦＤＭシンボル内の有効シンボル期間における平均値を算出し、前記平均値に基づいて周波数０のサブキャリアに配置された変調パラメータを抽出する抽出手段と、
前記抽出手段により抽出された変調パラメータを用いてＯＦＤＭ復調処理を行う復調処理手段とを備えることを特徴とする受信装置。
【請求項７】
一つ以上のシンボルからなる伝送フレーム毎に変調パラメータを選択してＯＦＤＭ伝送を行う送信装置と受信装置を備える通信システムの制御方法あって、
前記送信装置において、
送信すべき変調パラメータを決定する決定工程と、
前記変調パラメータを周波数０のサブキャリアに配置したＯＦＤＭシンボルを生成する生成工程と、
前記生成工程で生成したＯＦＤＭシンボルを含む伝送フレームを送信する送信工程とを有し、
前記受信装置において、
前記伝送フレームを受信する受信工程と、
前記伝送フレームに含まれるＯＦＤＭシンボル内の有効シンボル期間における平均値を算出し、前記平均値に基づいて前記周波数０のサブキャリアに配置された変調パラメータを抽出する抽出工程と、
前記抽出工程で抽出された変調パラメータを用いてＯＦＤＭ復調処理を行う復調処理工程とを有することを特徴とする通信システムの制御方法。
【請求項８】
信号を変調して、ＯＦＤＭ伝送を行う送信装置の制御方法であって、
送信すべき変調パラメータを決定する決定工程と、
前記変調パラメータを周波数０のサブキャリアに配置したＯＦＤＭシンボルを生成する生成工程と、
前記生成工程で生成したＯＦＤＭシンボルを含む伝送フレームを送信する送信工程とを有することを特徴とする送信装置の制御方法。
【請求項９】
ＯＦＤＭによる伝送フレームを受信して信号を復調する受信装置の制御方法であって、
伝送フレームを受信する受信工程と、
前記伝送フレームに含まれるＯＦＤＭシンボル内の有効シンボル期間における平均値を算出し、前記平均値に基づいて周波数０のサブキャリアに配置された変調パラメータを抽出する抽出工程と、
前記抽出工程で抽出された変調パラメータを用いてＯＦＤＭ復調処理を行う復調処理工程とを有することを特徴とする受信装置。
【請求項１０】
請求項７乃至９のいずれか１項に記載の制御方法をコンピュータに実行させるプログラム。
【請求項１１】
請求項７乃至９のいずれか１項に記載の制御方法をコンピュータに実行させるプログラムを記憶したコンピュータ読み取り可能な記憶媒体。
【発明の詳細な説明】
【技術分野】
【０００１】
本発明は通信システムに関し、特に、直交周波数分割多重伝送を用いた通信に好適なものである。
【背景技術】
【０００２】
直交周波数分割多重（Orthogonal Frequency Division Multiplexing：以下、ＯＦＤＭ）伝送方式は、周波数軸上に直交配置されたサブキャリアを用いて、情報信号を並列伝送する方式である。ＯＦＤＭ伝送では、受信信号電力対雑音電力比及び希望信号電力対非希望信号電力比などの伝搬路状況は一般的にサブキャリア毎に異なるほか、時間的にも変動する。従って、一次変調方式や誤り訂正符号、ガードインターバル（ＧＩ）長などの変調パラメータを伝搬路状況に応じて適切に選択することにより、伝送効率を向上させることが可能である。また、伝送データの要求に応じて変調パラメータを選択することにより、柔軟に伝送形態を変更することもできる。例えば、映像データや音響データの出力周期に応じてシンボル長を変化させ、受信装置にてシンボルタイミングを再生タイミングとすることで高精度にデータを再生することができる。
【０００３】
このように変調パラメータを変更して伝送を行う場合、送信装置は受信装置が正しく復調処理を行えるよう変更時の変調パラメータを受信装置に通知する必要がある。特に、例えばシンボル長の変更等、高速フーリエ変換（ＦＦＴ）の動作に関するパラメータを変更する場合には、受信装置は次シンボルの有効シンボルが受信されるより前に変調パラメータを抽出しなければならない。
【０００４】
特許文献１には、伝送フレーム内の所定位置に設けられた制御シンボルに変調パラメータを多重して伝送する技術が開示されている。同技術では、送信装置は制御シンボルのエンベロープの変化で変調パラメータを伝送し、受信装置は制御シンボルから変調パラメータを抽出した後、同パラメータに対応した復調処理を行う。この場合、ＦＦＴによる周波数分析を行うことなく低処理遅延にて変調パラメータが抽出されるため、次シンボルのＦＦＴに関する動作を変更可能である。
【特許文献１】特開平０８−０８８６１７号公報
【発明の開示】
【発明が解決しようとする課題】
【０００５】
しかしながら、特許文献１に記載の方法は、伝送フレーム内に変調パラメータ伝送用の制御シンボルを設ける必要があるため、変調パラメータの変更頻度が高い場合には著しく伝送帯域を圧迫してしまうという課題があった。
【０００６】
本発明は、上記の課題に鑑みてなされたものであり、変調パラメータの変更頻度が高い場合においても、伝送帯域の低下を引き起こすことなく、変調パラメータの通信を可能とすることを目的とする。
【課題を解決するための手段】
【０００７】
上記の目的を達成するための本発明の一態様による通信システムは以下の公正を備える。すなわち、
一つ以上のシンボルからなる伝送フレーム毎に変調パラメータを選択してＯＦＤＭ伝送を行う送信装置と受信装置を備える通信システムであって、
前記送信装置は、
送信すべき変調パラメータを決定する決定手段と、
前記変調パラメータを周波数０のサブキャリアに配置したＯＦＤＭシンボルを生成する生成手段と、
前記生成手段で生成したＯＦＤＭシンボルを含む伝送フレームを送信する送信手段とを備え、
前記受信装置は、
前記伝送フレームを受信する受信手段と、
前記伝送フレームに含まれるＯＦＤＭシンボル内の有効シンボル期間における平均値を算出し、前記平均値に基づいて前記周波数０のサブキャリアに配置された変調パラメータを抽出する抽出手段と、
前記抽出手段により抽出された変調パラメータを用いてＯＦＤＭ復調処理を行う復調処理手段とを備える。
【０００８】
また、上記の目的を達成するための本発明の他の態様による送信装置は以下の構成を備える。すなわち、
信号を変調して、ＯＦＤＭ伝送を行う送信装置であって、
送信すべき変調パラメータを決定する決定手段と、
前記変調パラメータを周波数０のサブキャリアに配置したＯＦＤＭシンボルを生成する生成手段と、
前記生成手段で生成したＯＦＤＭシンボルを含む伝送フレームを送信する送信手段とを備える。
【０００９】
更に、上記の目的を達成するための本発明の他の態様による受信装置は以下の構成を備える。すなわち、
ＯＦＤＭ伝送によるフレームを受信して信号を復調する受信装置であって、
伝送フレームを受信する受信手段と、
前記伝送フレームに含まれるＯＦＤＭシンボル内の有効シンボル期間における平均値を算出し、前記平均値に基づいて周波数０のサブキャリアに配置された変調パラメータを抽出する抽出手段と、
前記抽出手段により抽出された変調パラメータを用いてＯＦＤＭ復調処理を行う復調処理手段とを備える。
【発明の効果】
【００１０】
本発明によれば、変調パラメータの変更頻度が高い場合においても、伝送帯域の低下を引き起こすことなく、変調パラメータを変更することが可能となる。この結果、伝搬路状況や伝送データに応じて、好適な変調パラメータを選択する伝送方式とその伝送装置が得られる。
【発明を実施するための最良の形態】
【００１１】
以下、添付図面を参照し、本発明の好適な実施の形態にについて詳細に説明する。
【００１２】
本実施形態では、送信装置は後述する調整シンボルを用いることでシンボルタイミングが有効シンボル毎に変化する送信信号を生成する。このため、受信装置に対して有効シンボル毎のタイミングを通知する必要がある。特許文献１に記載された通信システムにおいてこのような通信を実行すると、有効シンボル毎にタイミングを通知するための制御シンボルを挿入することが必要となり、著しく伝送帯域が圧迫されてしまう。本実施形態の送信装置では、このタイミング情報を変調パラメータとして直流キャリア、すなわち周波数０のサブキャリアに配置してＯＦＤＭ変調し、受信装置に送信することにより、上記課題を解決する。受信装置では受信信号の移動平均値を符号判定することで直流キャリアに配置された変調パラメータを抽出し、抽出結果に基づいた復調処理を行う。
【００１３】
以下に本実施形態の変調パラメータ伝送方法の原理を説明する。
【００１４】
図２は直流キャリアに変調パラメータを配置したＯＦＤＭベースバンド信号の時間軸波形と、同信号の有効シンボル期間の移動平均値の例を示す図である。ＯＦＤＭベースバンド信号は複素信号であるが、図２では実数部のみを示している。ＯＦＤＭベースバンド信号２００のＯＦＤＭシンボルは、時間長Ｔｅ[ｓｅｃ]の有効シンボルと有効シンボルの後方をコピーした時間長Ｔｇ[ｓｅｃ]のガードインターバル（以下、ＧＩ）で構成される。すなわち、有効シンボルとＧＩにより構成されるＯＦＤＭシンボルにおいて、有効シンボルの後端のＧＩの長さに対応した部分のコピーが当該ＧＩの期間のデータとして用いられる。有効シンボルの時間軸波形は式１に示すように基本周波数が１／Ｔｅ[Ｈｚ]のサブキャリアの集合である。そのため、有効シンボルの平均値を算出した場合、式２に示すようにｎ＝０、すなわち直流キャリアのみの位相、振幅値が反映された値が算出されることとなる。
【００１５】
【数１】
2010041243.tif 000003
【数２】
2010041243.tif 000004
【００１６】
また、ＧＩは有効シンボルのコピーであるため、ＯＦＤＭシンボル内でＴｅ[ｓｅｃ]の平均値を算出した場合も同様の値が算出される。一方、ＯＦＤＭシンボル境界を含んだＴｅ[ｓｅｃ]の平均値を算出した場合にはｎ≠０のサブキャリアの平均値が０とはならず、平均値は全サブキャリアの位相、振幅値を反映した値となる。すなわち、ＯＦＤＭベースバンド信号の有効シンボル期間の移動平均値は、図２の２０１に示すように、シンボルの開始からＴｅ[ｓｅｃ]経過後よりＴｇ[ｓｅｃ]の間、同シンボルの直流キャリアの位相、振幅値を反映したものとなる。したがって、この期間の移動平均値を符号判定することにより、直流キャリアに配置された情報を抽出することが可能である。例えば、直流キャリアの振幅値を符号判定して所定の変調パラメータの値を得ることができる。
【００１７】
図３は上述の直流キャリアに配置された情報を抽出するための移動平均処理回路の内部構成例を示すブロック図である。移動平均処理回路３００は、シフトレジスタ３０１と減算器３０２と加算器３０３とラッチ回路３０４と除算器３０５で構成される。ベースバンドＯＦＤＭ信号はシフトレジスタ３０１と減算器３０２に入力され、シフトレジスタ３０１にて有効シンボルのサンプル数分遅延されたデータが入力データから減算される。減算器３０２の出力データはラッチ回路３０４の出力と加算された後、除算器３０５にて有効シンボルのサンプル数で除算されることにより、移動平均値が出力される。ラッチ回路３０４は、加算器３０３の加算結果をラッチする。以上のような移動平均処理では、有効シンボルの長さを単位とした移動平均値が算出されることになり、有効シンボルのサンプル数分の処理を終えた後は、
[有効シンボルのサンプル数分の加算値]−[最も古いサンプル値]＋[新たなサンプル値]
が算出されることになる。従って、ＯＦＤＭシンボルのＧＩに有効シンボルの最後のＴｇ期間分のデータをコピーしておくことでＯＦＤＭシンボルの開始から有効シンボル分のサンプルについて計算した後の、ＧＩ期間分は、有効シンボルの平均値が維持されることになる。当該ＧＩ期間では、[最も古いサンプル値]と[新たなサンプル値]が同じものとなるためである。
【００１８】
このような移動平均処理回路３００を用いた場合、データ入力から２回の加減算と１回の除算で移動平均値が算出されるため、低処理遅延かつ簡易な構成で直流キャリアに配置された変調パラメータを抽出することができる。すなわち、次シンボルの有効シンボルを受信する前に変調パラメータを抽出可能であるため、ＦＦＴに関するパラメータを含む変調パラメータを変更することが可能である。図８により後述する例では、有効シンボルよりＯＦＤＭシンボル間のギャップ長を表す変調パラメータが抽出されることになる。また、この場合、変調パラメータ伝送用の専用シンボルを使用しないため、変調パラメータの変更頻度に関わらずデータ伝送帯域を一定に保つことができる。
【００１９】
以上の原理に基づき、本実施形態の通信システムでは、一つ以上のシンボルからなる伝送フレーム毎に変調パラメータを選択してＯＦＤＭ伝送を行うことを可能とする。以下、本発明を適用した通信システムの一例としての５．１チャンネル音響システムについて説明する。
【００２０】
図４は、本実施形態による通信システムとしての５．１チャンネル音響システムのブロック図である。４００はプレーヤであり、光ディスク等の音響データが記録された記録媒体から多チャンネル音響データを読み出し、チャンネル毎のＰＣＭ形式の音響データと再生同期用信号を外部に出力する。４１０はコントローラであり、プレーヤ４００から入力された音響データをＯＦＤＭ変調し、アダプタ４２０〜４２５に向けて送信する。
【００２１】
４２０〜４２５はアダプタであり、コントローラ４１０が送信した音響データを受信し、各々に接続されたスピーカ４３０〜４３５に出力する。４３０〜４３５は各々に接続されたアダプタ４２０〜４２５が出力した音響信号を音として出力するスピーカである。アダプタ４２０〜４２５には各々スピーカ４３０〜４３５の設置位置に応じた音響チャンネルが割り当てられている。図４では、アダプタ４２０、４２１は各々センター（Ｃ）チャンネル、サブウーファ（ＳＷ）チャンネルに割り当てられている。また、アダプタ４２２、４２３、４２４、４２５は、各々フロント・ライト（ＦＲ）チャンネル、リア・ライト（ＲＲ）チャンネル、リア・レフト（ＲＬ）チャンネル、フロント・レフト（ＦＬ）チャンネルに割り当てられている。
【００２２】
図５はコントローラ４１０がアダプタ４２０〜４２５に送信する伝送フレームを説明する図である。
【００２３】
５００はプレーヤ４００がコントローラ４１０に出力する再生同期用信号である。再生同期用信号５００の周期時間（Ｔ１、Ｔ２、Ｔ３）はプレーヤ４００内部の動作クロックのジッタ成分に依存した時間的な揺らぎを有する。５０１はプレーヤ４００がコントローラ４１０に出力する音響データである。プレーヤ４００からは再生同期用信号５００の立ち上がり毎に１標本点分の多チャンネル音響データが出力される。コントローラ４１０は再生同期用信号５００と音響データ５０１に基づいて伝送フレーム５０２を生成し、アダプタ４２０〜４２５に送信する。伝送フレーム５０２は、固定長のＯＦＤＭシンボル５０３と可変長の調整シンボル５０４で構成され、伝送フレーム５０２は時間的に連続に送信される。
【００２４】
ＯＦＤＭシンボル５０３は１標本点分の音響データと伝送フレーム５０２の時間長情報をＯＦＤＭ変調したシンボルである。例えば、伝送フレーム（１）のＯＦＤＭシンボル（１）は音響データ（１）と伝送フレーム（１）の時間長Ｔ１を示す時間長情報がＯＦＤＭ変調されたシンボルである。同様に、伝送フレーム（２）のＯＦＤＭシンボル（２）は音響データ（２）と伝送フレーム（２）の時間長Ｔ２を示す時間長情報がＯＦＤＭ変調されたシンボルである。調整シンボル５０４は伝送フレーム５０２の時間長が再生同期用信号５００の周期時間に一致するよう設けられるシンボルであり、調整シンボル５０４にはヌルシンボルが用いられる。
【００２５】
伝送フレーム５０２は再生同期用信号５００の立ち上がりからフレーム生成に関わる処理遅延時間Ｔｐ１[ｓｅｃ]が経過した後、コントローラ４１０からアダプタ４２０〜４２５に送信される。
【００２６】
プレーヤ４００とコントローラ４１０のデータ伝送速度に差が存在する場合に、長時間に渡って途切れることなくプレーヤ４００からコントローラ４１０にデータが入力されると、データの欠損が発生する場合がある。これは、コントローラ４１０において伝送データのオーバーフローやアンダーフローが発生するためである。しかしながら、本実施形態では伝送フレームを上記構成とすることにより、プレーヤ４００とコントローラ４１０のデータ伝送速度はプレーヤ４００の揺らぎ成分を含めて一致するため、データ欠損の発生しない高品位なデータ伝送を行うことを可能である。
【００２７】
以下、プレーヤ４００から出力される音響データの標本化周波数を４８ｋＨｚ、コントローラ４１０とアダプタ４２０〜４２５の内部動作クロックを９０ＭＨｚとしてコントローラ４１０とアダプタ４２０〜４２５の動作の一例を説明する。但し、本発明はこれに限定されるものではないことは言うまでもない。
【００２８】
図１は、送信装置としてのコントローラ４１０の内部構成例を示すブロック図である。図１において、１００はクロック信号生成部である。クロック信号生成部１００は９０ＭＨｚのクロック信号を生成し、コントローラ４１０内の各部に出力する。
【００２９】
１０１はデータフレーム生成部である。データフレーム生成部１０１はプレーヤ４００から入力される多チャンネル音響データから図６に示す構成のデータフレームを生成し、ＯＦＤＭ変調部１０３に出力する。図６で、Ｃ、ＦＲ、ＦＬ、ＲＲ、ＲＬ、ＳＷと記された領域は各々Ｃチャンネル、ＦＲチャンネル、ＦＬチャンネル、ＲＲチャンネル、ＲＬチャンネル、ＳＷチャンネルのデータ領域である。また、コマンドと記された領域にはアダプタ４２０〜４２５に対するコマンドが配される。
【００３０】
１０２は揺らぎ時間計測部である。揺らぎ時間計測部１０２はプレーヤ４００から入力される再生同期用信号の周期時間を１周期毎にクロック信号生成部１００から入力される９０ＭＨｚのクロック信号でカウントする。再生同期用信号に時間的な揺らぎが無い場合、再生同期用信号の周期時間は１／４８ｋＨｚであり、９０ＭＨｚクロックで１８７５カウントである。揺らぎ時間計測部１０２は再生同期用信号の立ち上がり毎にカウントを開始し、再生同期用信号一周期毎のカウント数と１８７５カウントとの差分値を再生同期用信号の揺らぎ時間情報としてＯＦＤＭ変調部１０３に出力する。
【００３１】
１０３はＯＦＤＭ変調部である。ＯＦＤＭ変調部１０３は、１次変調部１０４、直並列変換部１０５、ＤＣ１次変調部１０６、ＩＦＦＴ部１０７、並直列変換部１０８、ＧＩ付加部１０９、調整シンボル付加部１１０、直交変調部１１１を有する。データフレーム生成部１０１から入力されるデータフレームは１次変調部１０４にてＱＰＳＫ等のデジタル変調が施され、直並列変換部１０５によって並列データに変換される。１次変調部１０４は、並列データをＩＦＦＴ部１０７に出力する。また、揺らぎ時間計測部１０２から入力される揺らぎ時間情報はＤＣ１次変調部１０６にて１６ＱＡＭ等のデジタル変調が施された後、ＩＦＦＴ部１０７に出力される。すなわち、ＤＣ１次変調部１０６は、揺らぎ時間情報に基づく変調パラメータを決定し、決定した変調パラメータに１６ＱＡＭ等のデジタル変調を施して出力する。ここで、ＤＣ１次変調部１０６の出力データは、ＩＦＦＴ部１０７にて直流キャリアに配置されるよう入力される。
【００３２】
ＩＦＦＴ部１０７は、直並列変換部１０５とＤＣ１次変調部１０６から入力されたデータを逆高速フーリエ変換（ＩＦＦＴ）処理することにより、有効シンボルを生成する。ＩＦＦＴ部１０７から出力される有効シンボルは並直列変換部１０８にて直列データに変換された後、ＧＩ付加部１０９に出力される。ＧＩ付加部１０９は並直列変換部１０８の出力する有効シンボルの後端の所定サンプル数のデータをコピーしたＧＩを有効シンボルの前端に付加することでベースバンドＯＦＤＭシンボルを生成し、調整シンボル付加部１１０に出力する。調整シンボル付加部１１０はベースバンドＯＦＤＭシンボルの後端に、揺らぎ時間計測部１０２から入力される揺らぎ時間情報に基づいた時間長の調整シンボルを付加することでベースバンド伝送フレームを生成し、直交変調部１１１に出力する。
【００３３】
直交変調部１１１はベースバンド伝送フレームを直交変調することで、伝送帯域に周波数変換された伝送フレームを生成し、Ｄ／Ａ変換部１１２に出力する。Ｄ／Ａ変換部１１２は伝送フレームをクロック信号生成部１００から入力される９０ＭＨｚクロックに基づいてデジタルアナログ（Ｄ／Ａ）変換し、アダプタ４２０〜４２５へと送信する。
【００３４】
これら各部の動作により、コントローラ４１０は、図５に示す伝送フレーム５０２を生成し、アダプタ４２０〜４２５に送信する。また、伝送フレーム５０２内のＯＦＤＭシンボルはベースバンド帯域に周波数変換されたとき、直流成分に当該伝送フレームの揺らぎ時間情報が配置されたものとなる。
【００３５】
続いて図７、図８を用いて、受信装置としてのアダプタ４２０〜４２５の構成、動作を説明する。なお、プリアンブルシンボル等を用いた初期動作により、アダプタ４２０〜４２５とコントローラ４１０のクロック、及び通信開始時のタイミングは同期しているものとする。アダプタ４２０〜４２５はコントローラ４１０から受信した伝送フレームから揺らぎ時間情報を抽出し、同情報に基づいた復調処理を行う。
【００３６】
図７はアダプタ４２０〜４２５の内部構成を示すブロック図である。また、図８は、アダプタ４２０〜４２５における内部信号のタイミング図である。
【００３７】
７００はクロック信号生成部である。クロック信号生成部７００はコントローラ４１０のクロック信号と同期した９０ＭＨｚクロックを生成し、アダプタ４２０〜４２５内の各部に出力する。
【００３８】
７０１はＡ／Ｄ変換部である。Ａ／Ｄ変換部７０１はコントローラ４１０から受信した伝送フレームをクロック信号生成部７００から入力される９０ＭＨｚクロックに基づいてアナログ／デジタル（Ａ／Ｄ）変換し、ＯＦＤＭ復調部７０２に出力する。
【００３９】
ＯＦＤＭ復調部７０２は、直交復調部７０３、移動平均処理部７０４、ＤＣ１次復調部７０５、フレームタイミング信号生成部７０６、ＤＣ判定タイミング信号生成部７０７を有する。更に、ＯＦＤＭ復調部７０２は、有効シンボル抽出部７０８、直並列変換部７０９、ＦＦＴ部７１０、並直列変換部７１１、１次復調部７１２を有する。
【００４０】
直交復調部７０３はＡ／Ｄ変換部７０１から入力される伝送フレームを直交復調し、ベースバンド帯域に周波数変換したベースバンド伝送フレーム８００（図８）を取得し、移動平均処理部７０４と有効シンボル抽出部７０８に出力する。
【００４１】
移動平均処理部７０４は、図３により上述した移動平均処理回路３００を備える。移動平均処理部７０４は有効シンボルのサンプル数（Ｓｅ[サンプル]＝Ｔｅ[ｓｅｃ]×９０[ＭＨｚ]）の移動平均値８０１（図８）を算出し、ＤＣ１次復調部７０５に出力する。移動平均値８０１は前述したように、フレーム開始からＴｅ[ｓｅｃ]経過後からＴｇ[ｓｅｃ]の間は、直流キャリアの位相、振幅値を反映した値となる。
【００４２】
ＤＣ１次復調部７０５は移動平均値８０１をＤＣ判定タイミング信号生成部７０７の出力する判定タイミング信号８０２（図８）に基づき符号判定することで時間長情報８０３（図８）を抽出し、フレームタイミング信号生成部７０６に出力する。
【００４３】
フレームタイミング信号生成部７０６はクロック信号生成部７００から入力される９０ＭＨｚクロックと時間長情報８０３に基づいて動作する。そして、フレームタイミング信号生成部７０６は、前回立ち上がりから１８７５＋時間長情報カウント後に立ち上がるパルス信号（図８のフレームタイミング信号８０４を生成する。フレームタイミング信号８０４はベースバンド伝送フレーム８００の開始位置（開始時点）を示すタイミング信号である。
【００４４】
ＤＣ判定タイミング信号生成部７０７は、ＤＣ１次復調部７０５に符号判定タイミングを示す判定タイミング信号８０２を生成する。ＤＣ判定タイミング信号生成部７０７は、クロック信号生成部７００から入力される９０ＭＨｚクロックに基づいて動作し、フレームタイミング信号８０４をＴｅ[ｓｅｃ]遅延させたパルス信号を生成する。符号判定タイミングはフレーム開始からＴｅ[ｓｅｃ]経過後、Ｔｇ[ｓｅｃ]以内であればよく、ノイズ成分の抑制を目的とし、この期間内の移動平均値８０１を加算平均処理した後に符号判定するようＤＣ１次復調部７０５を構成してもよい。すなわち、ＯＦＤＭシンボルの開始時点から有効シンボル期間の経過後の、ＧＩの期間に対応した長さの期間において移動平均値を加算平均した値を符号判定するようにしてもよい。こうして、ＤＣ１次復調部７０５は、ＯＦＤＭシンボルの開始時点から有効シンボル期間の経過後であって、当該ＯＦＤＭシンボルの終了時点の間までのタイミング（すなわち、Ｔｅ〜Ｔｅ＋Ｔｇの間）で、移動平均値を符号判定して変調パラメータを得る。
【００４５】
有効シンボル抽出部７０８はベースバンド伝送フレーム８００から有効シンボル８０５のみを抽出し、直並列変換部７０９に出力する。有効シンボルはフレーム開始からＴｇ[ｓｅｃ]経過後、Ｔｅ[ｓｅｃ]の期間であり、有効シンボル抽出部７０８はフレームタイミング信号８０４に基づいて有効シンボルのみを直並列変換部７０９に出力する。
【００４６】
有効シンボル８０５は直並列変換部７０９にて並列データに変換され、ＦＦＴ部７１０で高速フーリエ変換（ＦＦＴ）処理された後、直流成分を除くデータが並直列変換部７１１に出力される。ＦＦＴ処理後のデータは並直列変換部７１１にて直列データに変換された後、１次復調部７１２でＱＰＳＫ復調され、データフレーム８０６として出力部７１３に出力される。こうして、ＯＦＤＭ復調部７０２はＯＦＤＭ復調処理を行う。データフレーム８０６は有効シンボル８０５が直並列変換部７０９に入力された後、処理時間Ｔｐ２[ｓｅｃ]後、出力部７１３に出力される。
【００４７】
出力部７１３はＯＦＤＭ復調部７０２から入力されるデータフレームから自チャンネルの音響データのみを抜き出し、接続されているスピーカ（４３１〜４３５）に出力する。この際、出力部７１３は図８の自チャンネル音響データ８０７に示すように次回入力されるデータフレームの入力タイミングに同期して自チャンネル音響データをスピーカ４３１〜４３５に出力する。これら各部の動作により、コントローラ４１０の送信する伝送フレームに一致した周期で、アダプタ４２０〜４２５からスピーカ４３０〜４３５へのデータ出力が行われる。すなわち、コントローラ４１０とアダプタ４２０〜４２５のデータ伝送速度が一致するため、音の途切れが無く、音響出力を行うことが可能である。
【００４８】
本実施形態では、伝送フレームの時間長情報を変調パラメータとして伝送する場合を例に説明を行ったが、一次変調方式や誤り訂正符号およびＦＦＴポイント数など変調方式に関わる種々のパラメータ伝送に広く応用可能であることはいうまでもない。また、本実施形態では、有効シンボルの平均値を移動平均により算出したが、有効シンボルの平均値を取得できればよく、例示した手法に方法に限られるものではない。
【００４９】
また、本実施形態では、音響データの伝送を例として説明を行ったが、本発明はこれに限定されることはなく、映像データ等、定時性が要求されるストリーミングデータの伝送に広く応用可能である。
【００５０】
以上のように、本実施形態によれば、変調パラメータの変更頻度が高い場合においても、伝送帯域の低下を引き起こすことなく、一次変調方式や誤り訂正符号およびＦＦＴに関する変調パラメータを変更することが可能となる。この結果、伝搬路状況や伝送データに応じて、好適な変調パラメータを選択する伝送方式とその伝送装置が得られる。
【００５１】
以上、実施形態を詳述したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
【００５２】
本発明は、実施形態で説明した機能の一部もしくは全てを、コンピュータにソフトウェアのプログラムを実行させることで実現することも可能である。従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。コンピュータプログラムは、例えばコンピュータ読み取り可能な記憶媒体に記憶されて供給され得る。コンピュータ読み取り可能な記憶媒体としては以下が挙げられる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【図面の簡単な説明】
【００５３】
【図１】実施形態による、データを送信する送信装置としてのコントローラの構成例を示すブロック図である。
【図２】ベースバンドＯＦＤＭ信号と移動平均値を説明する図である。
【図３】実施形態による移動平均処理回路の構成例を示すブロック図である。
【図４】実施形態における、５．１チャンネルサラウンドシステムの構成例を示すブロック図である。
【図５】実施形態の送信装置における伝送フレームの送信動作を説明する図である。
【図６】実施形態で用いられるデータフレームの構成を示す図である。
【図７】実施形態による、データを受信する受信装置としてのアダプタの構成例を示すブロック図である。
【図８】アダプタにおける入出力信号のタイミングを示す図である。
【図１】
2010041243.tif 000005
【図２】
2010041243.tif 000006
【図３】
2010041243.tif 000007
【図４】
2010041243.tif 000008
【図５】
2010041243.tif 000009
【図６】
2010041243.tif 000010
【図７】
2010041243.tif 000011
【図８】
2010041243.tif 000012